(57)【特許請求の範囲】
【請求項１】
ソルビトール４〜６重量％と硫酸アンモニウム４〜６重量％を含有したことを特徴とする芝生凍結防止剤。
【請求項２】
エチレングリコールを１〜５重量％、尿素を５〜９重量％の範囲で含有し、尿素をエチレングリコールより多く含有したことを特徴とする芝生凍結防止剤。
【請求項３】
エチレングリコール４〜６重量％と硫酸アンモニウム４〜６重量％を含有したことを特徴とする芝生凍結防止剤。
【請求項４】
プロピレングリコール１〜５重量％、尿素を５〜９重量％含有し、尿素をプロピレングリコールより多く含有したことを特徴とする芝生凍結防止剤。
【請求項５】
請求項１〜４においていずれか一項記載の芝生凍結防止剤の薬剤含有量の合計が５〜１２％であることを特徴とする芝生凍結防止剤。
【請求項６】
請求項１〜５のいずれか一項記載の芝生凍結防止剤で地面散布量が２L／ｍ２〜４L／ｍ２であることを特徴とする芝生凍結防止剤の使用方法。
【発明の詳細な説明】
【技術分野】
【０００１】
本発明は、芝の生育に悪影響をほとんど与えない芝生用凍結防止剤に関するものである。適用対象は競馬場、競技場、ゴルフ場、公園の芝生等である。
【背景技術】
【０００２】
競馬は冬季の芝馬場においても開催される。しかし、芝馬場のベースであるノシバは冬期に休眠し、褐色になるため、寒地型芝草をオーバーシードすることにより、冬期においても芝馬場を緑に保っている。
【０００３】
芝馬場は厳寒期に凍結し、馬の走行に適さなくなる。また、競馬中に事故を生じさせる可能性があり、凍結した芝馬場を競馬に用いることは危険である。
【０００４】
そこで、厳寒期には寒冷紗を敷設し凍結を防いできた。しかし、寒冷紗によって凍結を防げない場合は、市販の凍結防止剤を散布することにより芝馬場の凍結を防いでいるが、オーバーシードされた寒地型芝草とベースのノシバが枯死するため、枯死した芝草を修復するには、多大な労力と経費を要した。
【０００５】
このため、凍結防止効果があり、しかも、オーバーシードされた寒地型芝草とベースのノシバの生育およびノシバの春先の回復に悪影響がほとんどない芝生用凍結防止剤の開発が望まれていた。
【０００６】
凍結防止の原理は水溶性物質である塩化物、硫酸塩、酢酸塩、カルボン酸塩、水溶性多価アルコール、水溶性高分子、有機酸などを散布し凝固点降下させることである。これらは主に路面の融雪・融氷用の凍結防止剤として用いられ、市販されている。
【０００７】
【特許文献１】特開２００４−３５２８５４号公報のフェノール類とアルカリ金属及びアルカリ土類金属から選択された一種または二種以上の金属のカルボン酸塩とを含む凍結防止剤を記載している。
【０００８】
【特許文献２】特開２００５−０２３１６７号公報の酢酸カルシウムと酢酸カリウムとグリセリンを含む凍結防止剤を記載している。
【０００９】
【特許文献３】特開２００５−１７９６５５号公報の複数の塩化物とマグネシウム塩の水和物との混合し、粒子化する凍結防止剤を記載している。
【００１０】
【特許文献４】特開２００５−２９０２５２号公報の水酸化マグネシウム系の凍結防止剤を記載している。
【００１１】
【特許文献５】特開２００６−００８５３５号公報の酢酸ナトリウムと酢酸マグネシウムの復塩の凍結防止剤を記載している。
【００１２】
上記の凍結防止剤は、主に路面の融雪・融氷用に開発されたもので、凍結防止や融解効果があるが、それらの散布によって植物の生育に致命的な悪影響を及ぼし、植物が枯死することがあり、芝生用凍結防止剤として使用することはできなかった。
【００１３】
凝固点降下を引き起こす物質として、水溶性アルコールであるソルビトール、ペンタエリシリトール、アラビトール、エチレングリコールやジエチレングリコール、プロピレングリコール、グリセリンおよび、水溶性無機物質である硫酸アンモニウム、尿素、塩化カルシウム、塩化ナトリウム、塩化カリウム、塩化マグネシウムなどが知られている。
【００１４】
ソルビトール、エチレングリコール、ジエチレングリコール、プロピレングリコール、グリセリン      などの水溶性アルコールは、凍結防止効果は高い。電気伝導度をほとんど高めることはないが、単体で用いると植物の生育に対し悪影響を与える。
【００１５】
硫酸アンモニウムや尿素は約０．４％の濃度の水溶液が液肥として植物の葉に散布され、植物の生育促進用として用いられている。しかし、この濃度では凍結防止効果はほとんどない。２〜３％以上と高濃度のものを生育期に与えると植物の生育に悪影響を及ぼすことが知られている。
【００１６】
このように、これら水溶性アルコールや水溶性無機物質の凝固点降下作用は高いが、凍結防止が可能となる高濃度の水溶液を芝生に適用すると芝の生育に致命的な悪影響を与えるので、芝用凍結防止剤として用いることはできなかった。
【発明の開示】
【発明が解決しようとする課題】
【００１７】
競馬を開催する一部の芝馬場の地温は最低で−１０℃になることがある。この条件下で、芝馬場の凍結防止効果があり、しかも、ベースのノシバとオーバーシードされた寒地型芝草の生育に悪影響がほとんどない凍結防止剤を開発することである。
【課題を解決するための手段】
【００１８】
発明者らは植物生育に対する悪影響を避けつつ凍結防止効果がある凍結防止剤を見出すため、上記水溶性アルコールと水溶性無機物質の配合を種々変え試験したところ、単体で用いると植物生育に悪影響を与える水溶性アルコールと水溶性無機物質はある特定の割合で組み合わせると、散布直後および春季の生育期での植物生育に対する悪影響が少なくしかも凝固点降下作用があることを発見した。ここで、本発明の凍結防止効果は地温ー１０℃条件下で植栽基盤が凍結しないことを指す。
【００１９】
本発明は、ソルビトール４〜６重量％と硫酸アンモニウム４〜６重量％を含有したことを特徴とする芝生用凍結防止剤をその解決手段とするものである。
【００２０】
本発明の第２発明は、エチレングリコールを１〜５重量％、尿素を５〜９重量％の範囲内で含有し、尿素をエチレングリコールより多く含有したことを特徴とする芝生用凍結防止剤をその解決手段とするものである。
【００２１】
本発明の第３発明は、エチレングリコール４〜６重量％と硫酸アンモニウム４〜６重量％を含有したことを特徴とする芝生用凍結防止剤をその解決手段とするものである。
【００２２】
本発明の第４発明は、プロピレングリコールを１〜５重量％、尿素を５〜９重量％含有し、尿素をプロピレングリコールより多く含有したことを特徴とする芝生用凍結防止剤をその解決手段とするものである。
【００２３】
本発明の第５発明は、第１〜４発明においていずれか一項記載の芝生凍結防止剤の薬剤含有量の合計が５〜１２％であることを特徴とする芝生凍結防止剤。
【００２４】
本発明の第６発明は、第１〜５発明のいずれか一項記載の芝生凍結防止剤で地面散布量が２L／ｍ２〜４L／ｍ２であることを特徴とする芝生凍結防止剤の使用方法。
【発明の効果】
【００２５】
本発明であるソルビトールと硫酸アンモニウムとの混合物、エチレングリコールと尿素との混合物、エチレングリコールと硫酸アンモニウムとの混合物、プロピレングリコールと尿素との混合物はノシバ、寒地型芝草の生育に対しほとんど悪影響を及ぼさず、しかも、凍結防止効果が高い。したがって、芝生用凍結防止剤として有効である。本発明の芝生用凍結防止剤は競馬場だけではなく、競技場、ゴルフ場、公園の芝生に適用できる。
【発明を実施するための最良の形態】
【００２６】
第１発明は、ソルビトール４〜６重量％と硫酸アンモニウム４〜６重量％を含有したことを特徴とする芝生用凍結防止剤である。
【００２７】
本発明が対象とする芝生はベースである暖地型芝草に、寒地型芝草をオーバーシードした芝生、暖地型芝草のみの芝生、寒地型芝草のみの芝生である。暖地型芝草としてノシバ、コウライシバ、ティフトンがあり、寒地型芝草としてペレニアルライグラス、イタリアンライグラス、ドライアン、ワセフドウ、ハナミワセ、グリーンストーンなどがあるが、これらに限定するものではない。
【００２８】
本発明に使用されるソルビトールはグルコースを還元してアルデヒド基をヒドロキシ基に変換して得られた糖アルコールの一種である。食品添加物として使用している。炭素数が６個であるため、植物の炭素源として利用できる。
【００２９】
本発明に使用されている硫酸アンモニウムは肥料として用いられているが、大量に使用すると、植物の生育を抑制し、枯死を引き起こす。しかし、凍結防止剤は厳寒期の芝がほとんど栄養生長していない時期に使用されるので、大量に施用しても芝の生育にほとんど悪影響を与えないことを発明者らは見出した。
【００３０】
ソルビトールと硫酸アンモニウムの合計濃度が１２％以上になると、凍結防止効果はあるが、植物生育に障害があり、枯死を引き起こす。または、それらの合計濃度が８％以下になると、凍結防止効果がなくなった。
【００３１】
ソルビトールは低分子化合物であるので、芝に吸収され炭素源として利用される。また、硫酸アンモニウムは芝の窒素源として利用される。しかし、芝生用凍結防止剤の散布時期は冬期であるため、芝はほとんど吸収できないので、植栽基盤に残留する。残留した硫酸アンモニウムは春になり芝が生育し始めると芝の栄養源として吸収される。
【００３２】
発明者らは、ソルビトールと硫酸アンモニウムとの混合物を芝生の植栽基盤に散布することによって、芝の生育に悪影響はほとんどなく、凍結防止効果を発揮させることを発見した。
【００３３】
第２発明は、エチレングリコールを１〜５重量％、尿素を５〜９重量％の範囲内で含有し、尿素をエチレングリコールより多く含有したことを特徴とする芝生用凍結防止剤である。
【００３４】
本発明に使用されているエチレングリコールは、不凍液、乾燥防止剤、医薬品として使用している。炭素が２個の低分子アルコールであるため、植物の炭素源として吸収されやすい。
【００３５】
芝生用凍結防止剤に使用されているエチレングリコールの使用量は１〜５重量％の範囲で、２〜３重量％が好ましい。
【００３６】
本発明に使用されている尿素は植物成育の必須成分であり、大量に使用すると、植物の生育を抑制し、枯死を引き起こす。尿素の使用量は５〜９重量％の範囲で、好ましくは、７〜８重量％である。
【００３７】
エチレングリコールと尿素との重量比は０．１１〜１、好ましくは約０．２５〜０．４３である。
【００３８】
発明者らは、エチレングリコールと尿素との混合物を芝生の植栽基盤に散布することによって、芝の生育に悪影響はほとんどなく、凍結防止効果を発揮させることを発見した。
【００３９】
第３発明は、エチレングリコール５重量％と硫酸アンモニウム５重量％を含有したことを特徴とする芝生用凍結防止剤である。
【００４０】
本発明に使用されている硫酸アンモニウムは植物成育の必須成分であり、大量に使用すると、植物の生育を抑制し、枯死を引き起こす。
【００４１】
発明者らは、エチレングリコールと硫酸アンモニウムとの混合物を芝生の植栽基盤に散布することによって、芝の生育に悪影響はほとんどなく、凍結防止効果を発揮させることを発見した。
【００４２】
第４発明は、プロピレングリコールを１〜５重量％、尿素を５〜９重量％含有し、尿素をプロピレングリコールより多く含有したことを特徴とする芝生用凍結防止剤である。
【００４３】
本発明のプロピレングリコールは、冷却液、食品加工、化粧品、湿潤剤、医薬品として使用している。炭素数が３個と低分子化合物であるため、植物の炭素源として利用しやすい。
【００４４】
芝生用凍結防止剤に使用されているプロピレングリコールの使用量は１〜５重量％の範囲で、２〜３重量％が好ましい。
【００４５】
本発明に使用されている尿素は植物成育の必須成分であり、大量に使用すると、植物の生育を抑制し、枯死を引き起こす。尿素の使用量は５〜９重量％の範囲で、好ましくは、７〜８重量％である。
【００４６】
プロピレングリコールと尿素との重量比は０．１１〜１、好ましくは約０．２５〜０．４３である。
【００４７】
発明者らは、プロピレングリコールと尿素との混合物を芝生の植栽基盤に散布することによって、芝の生育に悪影響はほとんどなく、凍結防止効果を発揮させることを発見した。
【００４８】
第５発明は、第１〜４発明においていずれか一項記載の芝生凍結防止剤の薬剤含有量の合計が５〜１２％であることを特徴とする芝生凍結防止剤。
【００４９】
芝生用凍結防止剤の薬剤含有量の合計は５％以下になると、芝の生育に悪影響がないが、凍結防止効果を発揮できない。一方、芝生用凍結防止剤の薬剤含有量の合計が１２％を超過すると、凍結防止効果を発揮できるが、芝の生育に悪影響を与え、枯死を引き起こす。
【００５０】
したがって、薬剤含有量の合計が５〜１２％の範囲内で、好ましくは８〜１０％である。
【００５１】
第６発明は、第１〜５発明のいずれか一項記載の芝生凍結防止剤で地面散布量が２L／ｍ２〜４L／ｍ２であることを特徴とする芝生凍結防止剤の使用方法。
【００５２】
凍結防止剤の散布方法は、芝生面散布と地面散布とがある。ここで、芝生面散布はじょうろ等を用いて植物の茎葉と地面の両方に散布する方法で、地面散布は植物の葉は濡らさずに、芝生の植栽基盤に直接滴下するように散布する方法である。
【００５３】
芝生用凍結防止剤の濃度がかなり高いので、芝生面散布は植物地上部と凍結防止剤が接触し、葉に対する悪影響を及ぼし、枯死を引き起こす。しかも地面到達量が減少するため、凍結防止効果も低下する。一方、地面散布は植物の地上部に接触しないため、植物地上部の生育に対する悪影響が少なく、凍結防止効果も十分に発揮できるので、地面散布が好ましい。
【００５４】
また、芝生用凍結防止剤の散布量は多くすると、凍結防止効果が高いが、植物生育に悪影響がある。また、少なくすると、凍結防止効果を十分に発揮できない。ｍ２当たり２Ｌ〜４Ｌの散布量が好ましい。
【００５５】
以下、実施例により本発明をさらに詳しく説明するが、本発明はこれらにより限定されるものではない。
【実施例１】
【００５６】
ソルビトール５重量％と硫酸アンモニウム５重量％を含有した１０％溶液を作成し、芝生用凍結防止剤を得た。
【実施例２】
【００５７】
エチレングリコール５重量％と尿素５重量％を含有した１０％溶液を作成し、芝生用凍結防止剤を得た。
【実施例３】
【００５８】
エチレングリコール５重量％と硫酸アンモニウム５重量％を含有した１０％溶液を作成し、芝生用凍結防止剤を得た。
【実施例４】
【００５９】
プロピレングリコール５重量％と尿素５重量％を含有した１０％溶液を作成し、芝生用凍結防止剤を得た。
【比較例】
【００６０】
実施例１〜４に対応する異なる合計濃度の凍結防止剤を作成し、比較例とした。比較例の濃度と配合方法を表１に示す。
【００６１】
【表１】
0004376932.tif 000002
【００６２】
各種合計濃度の凍結防止剤の凍結防止効果を評価するために、凍結実験を行った。異なる合計濃度の凍結防止剤を２０ｍｌずつ試験管に加え、−１０℃の恒温冷凍室に８時間に放置し、凍結状況を調べた。その結果を表２に示す。ここで、凍結しない場合には○、凍結した場合には×とした。
【００６３】
【表２】
0004376932.tif 000003
【００６４】
表２に示したように、実施例１〜４の芝生用凍結防止剤と比較例１〜４の１５％の凍結防止剤は凍結しなかったが、比較例１〜４の３％の凍結防止剤は凍結した。一方、比較例５、１１、１２の３％、１０％、１５％の凍結防止剤は凍結した。比較例７、８、９、１０の１０％、１５％の凍結防止剤は凍結しなかったが、３％の凍結防止剤は凍結した。比較例６の３％、１０％、１５％の凍結防止剤は凍結しなかった。合計濃度が高いほど凍結防止効果があることがわかった。また、同様濃度の場合に実施例の２種類の薬品を混合することによって相乗効果が現れた。実施例の芝生用凍結防止剤の凍結防止効果は比較例１２の市販凍結防止剤よりも良好であった。
【００６５】
また、各混合比と各合計濃度の凍結防止剤の凍結防止効果を評価するために、凍結実験を行った。各混合比と各合計濃度の凍結防止剤を２０ｍｌずつ試験管に加え、−１０℃の恒温冷凍室に８時間に放置し、凍結状況を調べた。その結果を表３〜６に示す。ここで、凍結しない場合には○、凍結した場合には×とした。ソルビトールと硫酸アンモニウムの混合比と合計濃度を変えたものを比較例１４とした。それらの凍結防止効果を表３に示す。
【００６６】
【表３】
0004376932.tif 000004
【００６７】
表３に示したように、実施例１の芝生用凍結防止剤と比較例７の凍結防止剤は凍結しなかった。ほかの混合比と合計濃度が１０％以下の凍結防止剤は凍結した。―１０℃条件下で、実施例１の凍結効果があることがわかった。
【実施例５】
【００６８】
実施例２に基づき、エチレングリコールと尿素の混合比と合計濃度を変えて、表４に示した実施例５の凍結防止剤を作成した。また、それらの混合比と合計濃度を変えたものを比較例１５とした。それらの凍結防止効果を表４に示す。ここで、凍結しない場合には○、凍結した場合には×とした。
【００６９】
【表４】
0004376932.tif 000005
【００７０】
表４に示したように、実施例２、実施例５の芝生用凍結防止剤と比較例８、１０の凍結防止剤は凍結しなかった。ほかの混合比と合計濃度が１０％以下の比較例１５の凍結防止剤は凍結した。このことから、―１０℃条件下で、エチレングリコール１〜５重量％と尿素５〜９重量％とを混合し、計１０重量％の凍結防止剤の凍結効果があることがわかった。
【００７１】
実施例３に基づき、エチレングリコールと硫酸アンモニウムの混合比と合計濃度を変えたものを比較例１６とした。それらの凍結防止効果を表５に示す。ここで、凍結しない場合には○、凍結した場合には×とした。
【００７２】
【表５】
0004376932.tif 000006
【００７３】
表５に示したように、実施例３の芝生用凍結防止剤と比較例８の凍結防止剤は凍結しなかった。ほかの混合比と合計濃度が１０％以下の比較例１６の凍結防止剤は凍結した。このことから、―１０℃条件下で、エチレングリコール５重量％と硫酸アンモニウム５重量％とを混合し、計１０重量％の凍結防止剤の凍結効果があることがわかった。
【実施例６】
【００７４】
実施例４に基づき、プロピレングリコールと尿素の混合比と合計濃度を変えて、表７に示した実施例６の凍結防止剤を作成した。また、それらの混合比と合計濃度を変えたものを比較例１７とした。それらの凍結防止効果を表６に示す。ここで、凍結しない場合には○、凍結した場合には×とした。
【００７５】
【表６】
0004376932.tif 000007
【００７６】
表６に示したように、実施例４、実施例７の芝生用凍結防止剤と比較例９、１０の凍結防止剤は凍結しなかった。ほかの混合比と合計濃度が１０％以下の比較例１７の凍結防止剤は凍結した。このことから、―１０℃条件下で、プロピレングリコール１〜５重量％と尿素５〜９重量％とを混合し、計１０重量％の凍結防止剤の凍結効果があることがわかった。
【００７７】
芝生用凍結防止剤が芝の生育に対する影響を明らかするために、現場での散布実験を行い、芝生用凍結防止剤の散布によるノシバと寒地型芝草の生育に対する影響と凍結防止効果及び春先でのノシバの回復状況と寒地型芝草の生育に対する影響を調査した。試験処理は、実施例１〜４の芝生用凍結防止剤、比較例５〜１１の凍結防止剤、対照として比較例１２の市販の凍結防止剤と比較例１３の水であった。
【００７８】
供試芝生はベースのノシバに、寒地型芝草（グリーンストーン）をオーバーシードした芝生であり、各処理区の面積は０．２５ｍ２であった。各種凍結防止剤の濃度は３％、５％、１０％で、各処理区の散布量は１、２、４、６Ｌ／ｍ２の４段階で、散布方法は芝生面散布、地面散布の２種類であった。散布後一定期間でノシバと寒地型芝草の生育を調査し、評価した。凍結防止剤の散布日は２００６年１０月１６日であり、全試験期間は２００６年１０月１６日から２００７年５月２２日であった。芝の評価基準は、◎をノシバ、寒地型芝草生育良好、○をノシバ、寒地型芝草生育正常、△をノシバ良好、寒地型芝草枯死、×をノシバ、寒地型芝草枯死とした。
【００７９】
芝用凍結防止剤（濃度が１０％）が芝の生育に対する影響を表７に示す。表７に示したように、芝用凍結防止剤散布後２ケ月（２００６．１２．２７）の芝の生育状況からみると、芝生用凍結防止剤の散布方法によって芝の生育に対する影響が異なり、地面散布は芝生面散布よりも芝の生育に対する影響がなかった。この結果から、実施例の芝生用凍結防止剤は比較例よりも芝の生育が良好で、芝の生育に対する悪影響はほとんどなかった。
【００８０】
【表７】
0004376932.tif 000008
【００８１】
芝生用凍結防止剤の散布方法からみると、芝生面散布２Ｌ／ｍ２では、実施例１、２、４の芝生用凍結防止剤と比較例５の凍結防止剤は芝の生育に対する影響がなかったが、他の比較例の凍結防止剤は芝の生育に対する悪影響があり、寒地型芝草が枯死した。芝生面散布４Ｌ／ｍ２では、実施例と比較例の凍結防止剤とも、芝の生育に対する悪影響があり、寒地型芝草が枯死した。実施例２の芝生用凍結防止剤はノシバ、寒地型芝草とも枯死した。地面散布２Ｌ／ｍ２では、実施例１〜４の芝生用凍結防止剤、比較例５、６、１１の凍結防止剤は芝の生育に対する影響がなかったが、他の比較例の凍結防止剤は芝の生育に対する悪影響があり、寒地型芝草が枯死した。地面散布４Ｌ／ｍ２では、実施例１〜４の芝生用凍結防止剤、比較例５、１１の凍結防止剤は芝の生育に対する影響がなかったが、他の比較例の凍結防止剤は芝の生育に対する悪影響があり、寒地型芝草が枯死した。この結果から、地面散布は芝生面散布よりも芝の生育に対する影響がほとんどないことが認められた。
【００８２】
また、秋から冬にかけて、凍結防止効果およびノシバと寒地型芝草の生長からみると、実施例の芝生用凍結防止剤は比較例よりも芝の生育に対する悪影響が少なかった。また、地面散布は芝生面散布よりも芝の生育に対する悪影響が少なく、地面散布量２Ｌ／ｍ２が最もよいと認められた。
【００８３】
芝生の植栽基盤の凍結状況の評価は長谷川式土壌貫入計を用い、土壌貫入深度（ｍｍ）を測定した。芝用凍結防止剤の散布（濃度が１０％）が芝生の植栽基盤の凍結状況に及ぼす影響を表８に示す。測定時期の最低気温はー１０℃であった。なお、貫入回数は１０回で、１０回目の貫入深度を表示した。
【００８４】
【表８】
0004376932.tif 000009
【００８５】
表８に示したように、芝生面散布２Ｌ／ｍ２では、実施例１〜４の芝生用凍結防止剤と比較例６〜１０の貫入深度は深く、植栽基盤が凍結しなかった。比較例５、１１、１２、１３の貫入深度は浅く、植栽基盤が凍結した。芝生面散布４Ｌ／ｍ２、地面散布２Ｌ／ｍ２、地面散布４Ｌ／ｍ２も同様の傾向を示し、地面散布のほうが芝生面散布よりもやや良好であった。実施例の芝生用凍結防止剤の凍結防止効果が認められた。
【００８６】
凍結防止効果および冬期の寒地型芝草の生育状況からみると、実施例の芝生用凍結防止剤の凍結防止効果は比較例よりも良好であり、地面散布２Ｌ／ｍ２と地面散布４Ｌ／ｍ２が効果的であることが認められた。
【００８７】
ノシバは秋から冬へかけての低温で葉緑素が分解し、生育がほとんど休眠状態になり、春に気温が上昇すると生長を再開する。芝用凍結防止剤の散布（濃度が１０％）によって、来春にノシバの回復に及ぼす影響を調べた。表９に２００７．５．８にノシバと寒地型芝草の生長状況を示す。ここで、芝の評価基準は、◎をノシバ、寒地型芝草生育良好、○をノシバ、寒地型芝草生育正常、△をノシバ良好、寒地型芝草枯死、×をノシバ、寒地型芝草枯死とした。
【００８８】
【表９】
0004376932.tif 000010
【００８９】
表９に示したように、芝生面散布２Ｌ／ｍ２では、実施例２、３、４の芝生凍結防止剤と比較例１１の凍結防止剤は芝の生育に対する影響がなかったが、実施例１の芝生凍結防止剤と他の比較例の凍結防止剤は芝の生育に対する悪影響があり、寒地型芝草が枯死した。比較例９、１０の凍結防止剤はノシバ、寒地型芝草とも枯死した。芝生面散布４Ｌ／ｍ２では、実施例３の芝生凍結防止剤と比較例１１の凍結防止剤は芝の生育に対する影響がなかったが、他の実施例と比較例の凍結防止剤は芝の生育に対する悪影響があり、寒地型芝草が枯死した。実施例２の芝生凍結防止剤と比較例９、１０の凍結防止剤はノシバ、寒地型芝草とも枯死した。地面散布２Ｌ／ｍ２では、実施例１〜４の芝生凍結防止剤、比較例５、６、１１の凍結防止剤は芝の生育に対する影響がなかったが、他の比較例の凍結防止剤は芝の生育に対する悪影響があり、寒地型芝草が枯死した。地面散布４Ｌ／ｍ２では、実施例１、３、４の芝生凍結防止剤、比較例１１の凍結防止剤は芝の生育に対する影響がなかったが、実施例２の芝生凍結防止剤と他の比較例の凍結防止剤は芝の生育に対する悪影響があり、寒地型芝草が枯死した。比較例９、１０の凍結防止剤はノシバ、寒地型芝草とも枯死した。
【００９０】
凍結防止効果および春先のノシバの回復と寒地型芝草の生長からみると、実施例の芝生用凍結防止剤は比較例よりもノシバの回復と寒地型芝草の生育に対する悪影響がほとんどないことが認められた。また、芝生用凍結防止剤の地面散布量が２Ｌ／ｍ２は芝の生育に対する悪影響がもっとも少なかった。
【００９１】
以上の結果から、実施例１〜４の芝用凍結防止剤を、ベースのノシバに寒地型芝草をオーバーシードした芝生面に散布しても、ノシバと寒地型芝草とも生育に悪影響がほとんどなく、しかも、凍結防止効果があることが認められた。
【００９２】
上記の凍結防止剤（濃度が１０％）を用いて、芝生用凍結防止剤の散布量が芝の生育に対する影響を明らかにするために、散布実験を行った。その結果を表１０に示す。なお、芝生凍結防止剤の濃度は１０％であった。ここで、芝の評価基準は、◎をノシバ、寒地型芝草生育良好、○をノシバ、寒地型芝草生育正常、△をノシバ良好、寒地型芝草枯死、×をノシバ、寒地型芝草枯死とした。
【００９３】
【表１０】
0004376932.tif 000011
【００９４】
表１０に示したように、散布後２ケ月（２００６．１２．２７）の芝の生育状況からみると、地面散布１Ｌ／ｍ２では、実施例１〜４の芝生用凍結防止剤、比較例５〜１３の凍結防止剤は芝の生育に対する影響がなかった。地面散布２Ｌ／ｍ２では、実施例１〜４の芝生用凍結防止剤、比較例５、６、１１、１３の凍結防止剤は芝の生育に対する影響がなかったが、他の比較例の凍結防止剤は芝の生育に対する悪影響があり、寒地型芝草が枯死した。地面散布４Ｌ／ｍ２では、実施例１〜４の芝生用凍結防止剤、比較例５、１１の凍結防止剤は芝の生育に対する影響がなかったが、他の比較例の凍結防止剤は芝の生育に対する悪影響があり、寒地型芝草が枯死した。地面散布６Ｌ／ｍ２では、実施例１〜４の芝生用凍結防止剤、比較例５〜８の凍結防止剤は芝の生育に対する悪影響があり、寒地型芝草が枯死した。比較例９〜１２の凍結防止剤はノシバ、寒地型芝草とも枯死した。
【００９５】
一方、地面散布１Ｌ／ｍ２の場合、散布量が少ないため、凍結防止効果がなかった。凍結防止効果と芝の生育状況を総合的に考慮すると、実施例の芝生用凍結防止剤の地面散布２Ｌ／ｍ２と地面散布４Ｌ／ｍ２は比較例よりも芝の生育に対する悪影響がほとんどないことが認められた。
【００９６】
芝用凍結防止剤の濃度が芝の生育に対する影響を表１１に示す。なお、地面散布量が２Ｌ／ｍ２であった。ここで芝の評価基準は、◎をノシバ、寒地型芝草生育良好、○をノシバ、寒地型芝草生育正常、△をノシバ良好、寒地型芝草枯死、×をノシバ、寒地型芝草枯死とした。
【００９７】
【表１１】
0004376932.tif 000012
【００９８】
表１１に示したように、散布後２ケ月（２００６．１２．２７）の芝の生育状況からみると、実施例１〜４及び比較例５、６、１１の３％と１０％の凍結防止剤は芝の生育に対する影響はなかったが、１５％になると、芝に対する悪影響があり、寒地型芝草が枯死した。比較例７、８、９、１０、１２の３％、１０％、１５％凍結防止剤は芝に対する悪影響があり、寒地型芝草が枯死した。
【００９９】
凍結防止効果と芝の生育状況を総合的に考慮すると、実施例１〜４の凍結防止剤の濃度が１０％までは比較例よりも芝の生育に対する悪影響がないことが認められた。
【０１００】
上記の実験結果から、本発明の芝用凍結防止剤は凍結防止効果があり、ノシバと寒地型芝とも生育にほとんど悪影響を与えないことがわかった。